(57)【要約】  本発明は、衣装ハンガーに関し、より詳細には、ヘッドと、一端が前記ヘッドの一端に連結されたメインボディと、一端が前記メインボディの他端に連結され、前記メインボディとポールを連結する連結部と、一端が前記連結部の他端と連結され、衣装に形成されている孔を貫通可能なポールと、を含む衣装ハンガーであって、前記メインボディ及び前記ポールは、所定の距離で離間して互いに向かい合うように配置されており、衣装ハンガーが前記ヘッドによって空中に吊り下げられることにより定義される方向を基準として、前記メインボディ及び前記ポールは、前記連結部から上側方向に延びて形成されているものであって、衣装保管時の空間活用効率を最大化することができるとともに、衣装保管時に衣装の形態を保持し、衣装の損傷を低減することができる。
2021512761.tif 000002
【特許請求の範囲】
【請求項１】
ヘッドと、
一端が前記ヘッドの一端に連結されたメインボディと、
一端が前記メインボディの他端に連結され、前記メインボディとポールを連結する連結部と、
一端が前記連結部の他端と連結され、衣装に形成されている孔を貫通可能なポールと、を含む衣装ハンガーであって、
前記メインボディ及び前記ポールは、所定の距離で離間して互いに向かい合うように配置されており、
衣装ハンガーが前記ヘッドによって空中に吊り下げられることにより定義される方向を基準として、前記メインボディ及び前記ポールが、前記連結部から上側方向に延びて形成されている、衣装ハンガー。
【請求項２】
前記メインボディは、前記メインボディと前記ポールと間に配置される衣装の所定の部分の一側を支持可能であり、前記ポールは、衣装の前記所定の部分の他側を支持可能である、請求項１に記載の衣装ハンガー。
【請求項３】
衣装ハンガーが前記ヘッドによって空中に吊り下げられることにより定義される方向を基準として、衣装ハンガーのある側面から見たときに、側面の形状が、前記メインボディ、前記連結部、及び前記ポールにより囲まれて上側に開口された「コ」形状、「ｃ」形状、又はこれと類似の、上側に開口された形状を有する、請求項１に記載の衣装ハンガー。
【請求項４】
前記メインボディ及び前記ポールは、それぞれの少なくとも一部が互いに平行である、請求項１に記載の衣装ハンガー。
【請求項５】
前記ポールは２本のポールであり、前記２本のポールは、互いに所定の距離を置いて並んで配置されている、請求項１に記載の衣装ハンガー。
【請求項６】
衣装ハンガーが前記ヘッドによって空中に吊り下げられることにより定義される方向を基準として、前記ポールは、重力方向に平行に延びた柱状の形状を有する、請求項１に記載の衣装ハンガー。
【請求項７】
前記ポールは、前記連結部の他端と連結される前記ポールの前記一端から遠くなるに従って、前記メインボディとの距離が近くなる形状を有する、請求項１に記載の衣装ハンガー。
【請求項８】
衣装ハンガーが前記ヘッドによって空中に吊り下げられることにより定義される方向を基準として、前記連結部の上部表面の少なくとも一部が重力方向に垂直な方向に延びている、請求項１に記載の衣装ハンガー。
【請求項９】
衣装ハンガーが前記ヘッドによって空中に吊り下げられることにより定義される方向を基準として、前記メインボディは、横方向に所定の幅を有する形状を有する、請求項１に記載の衣装ハンガー。
【請求項１０】
前記メインボディは、前記連結部と連結された側から遠くなるに従って、横幅が次第に増加する形状を有する、請求項１に記載の衣装ハンガー。
【請求項１１】
衣装ハンガーが前記ヘッドによって空中に吊り下げられることにより定義される方向を基準として、前記メインボディの上側又は前記ポールの上側に配置され、衣装のボディスに付けられた肩紐を掛けることができるハンドをさらに含む、請求項１に記載の衣装ハンガー。
【請求項１２】
衣装ハンガーが前記ヘッドによって空中に吊り下げられることにより定義される方向を基準として、前記メインボディの上側又は前記ポールの上側に連結され、衣装の肩紐を掛けることができるハンドをさらに含み、
前記ハンドは、前記メインボディ又は前記ポールに予め設けられたガイド手段に沿って位置変更が可能である、請求項１に記載の衣装ハンガー。
【請求項１３】
衣装ハンガーが前記ヘッドによって空中に吊り下げられることにより定義される方向を基準として、前記ポールの上側に連結され、衣装のボディスに付けられた肩紐を掛けることができるハンドをさらに含み、
前記ハンドは、前記ポールに沿って上下方向にスライド可能に含まれている、請求項１に記載の衣装ハンガー。
【請求項１４】
前記ヘッドは、フック状又はリング状の形状を有する、請求項１に記載の衣装ハンガー。
【請求項１５】
請求項１から１４の何れか一項に記載の衣装ハンガーは、所定の形状を維持するように形成されたスカートを含む衣装を掛ける用途に用いられる、衣装ハンガー。
【請求項１６】
ヘッドと、
前記ヘッドの一端から延びたメインボディと、
前記メインボディと所定の距離で離間して互いに向かい合うように配置されるポールと、
前記メインボディと前記ポールとを連結する連結部と、を含む衣装ハンガーであって、
衣装ハンガーが前記ヘッドによって空中に吊り下げられることにより定義される方向を基準として、前記メインボディ及び前記ポールは、前記連結部から上側方向に延びて形成されており、
前記メインボディの下側が衣装のボディスに挿入可能であり、前記メインボディは、衣装のボディスの内側の少なくとも一部を支持するか、衣装のスカートの少なくとも一部を支持することができ、
前記連結部及び前記ポールは、衣装に形成されている孔を貫通可能であり、
前記ポールは、衣装のスカートの少なくとも一部を支持するか、衣装のボディスの内側の少なくとも一部を支持することができる、衣装ハンガー。
【発明の詳細な説明】
【技術分野】
【０００１】
本発明は、衣装ハンガーに関する。
【背景技術】
【０００２】
衣装を保管する際には様々な方法が用いられ得るが、例えば、衣装をハンガーに掛けて保管することも可能である。このように衣装をハンガーに掛けて保管する場合、衣装を長期保存する場合に好適である。
【０００３】
一方、損傷されやすい部分を含む衣装は、その素材の特性のため、保管が非常に重要となる。舞台衣装などのように、多くの装飾を含んでいたり、所定の形状を維持するように硬直性の素材を含んでいる衣装は、衣装周辺の他の物体との接触、周辺から加えられる圧迫、又は衣装の保管形態によって、衣装に付けられた装飾や硬直性の素材などの損傷や変形が発生し得る。そのため、上記のような衣装の保存のためには、衣装周辺の他の物体との接触、周辺から加えられる圧迫や保管形態などを制御する必要があり得る。
【０００４】
図１から図４は、従来の衣装の保管方法を例示した写真である。
【０００５】
従来は、上記のような損傷されやすい部分を含む衣装を保管する際には、例えば、図２に例示するように、広い空間に衣装を広げて保管する方法、図１に例示するように、ハンガーに掛けるが、他の衣装と離間するように十分な間隔を置いて掛けて保管する方法、図３のように、その衣装のために用意された収納空間に独立に保管する方法などが用いられていた。
【０００６】
しかし、図１から図３などのような従来の方法により衣装を保管する場合、衣装の保管のために用いられる空間が、衣装の体積に比べて過度に大きく要求されるか、衣装の保管のための補助施設が著しく多く要求される。
【０００７】
そこで、衣装の保管に用いられる空間を減らすために、図４のように衣装を底に積み上げて保管することもあるが、このような方式により衣装を保管する場合には、衣装の荷重、衣装同士の摩擦又は地面との接触などにより衣装の損傷が増加し、保存可能期間も著しく短縮することになる。
【０００８】
衣装ハンガーに関する発明は多様な形態のものが公開されているが、所定の形状を維持するように設けられた部分が含まれている衣装の損傷を防止し、且つ保管時に用いられる空間の空間活用効率を向上させることができる衣装ハンガーは確認されていない。
【０００９】
従来の衣装ハンガーに関する技術とは全く異なる新規な発想により開発された発明であるため、その背景技術を特別に知ることはできないが、類似の技術分野の従来技術として、韓国公開特許第１０−２０１３−００２５３０7号公報には、衣装の損傷を減らすための技術が開示されている。
【先行技術文献】
【特許文献】
【００１０】
【特許文献１】韓国公開特許第１０−２０１３−００２５３０７号公報
【発明の概要】
【発明が解決しようとする課題】
【００１１】
本発明の一課題は、衣装保管時の空間活用効率を最大化するとともに、衣装保管時に衣装の形態を保持し、衣装の損傷を低減する衣装ハンガーを提供することを目的とする。
【課題を解決するための手段】
【００１２】
１．ヘッドと、
一端が前記ヘッドの一端に連結されたメインボディと、
一端が前記メインボディの他端に連結され、前記メインボディとポールを連結する連結部と、
一端が前記連結部の他端と連結され、衣装に形成されている孔を貫通可能なポールと、を含む衣装ハンガーであって、
前記メインボディ及び前記ポールは、所定の距離で離間して互いに向かい合うように配置されており、
衣装ハンガーが前記ヘッドによって空中に吊り下げられることにより定義される方向を基準として、前記メインボディ及び前記ポールが、前記連結部から上側方向に延びて形成されている、衣装ハンガー。
【００１３】
２．前記メインボディは、前記メインボディと前記ポールと間に配置される衣装の所定の部分の一側を支持可能であり、前記ポールは、衣装の前記所定の部分の他側を支持可能である、上記１に記載の衣装ハンガー。
【００１４】
３．衣装ハンガーが前記ヘッドによって空中に吊り下げられることにより定義される方向を基準として、衣装ハンガーのある側面から見たときに、側面の形状が、前記メインボディ、前記連結部、及び前記ポールにより囲まれて上側に開口された「コ」形状、「ｃ」形状、又はこれと類似の、上側に開口された形状を有する、上記１に記載の衣装ハンガー。
【００１５】
４．前記メインボディ及び前記ポールは、それぞれの少なくとも一部が互いに平行である、上記１に記載の衣装ハンガー。
【００１６】
５．前記ポールは２本のポールであり、前記２本のポールは、互いに所定の距離を置いて並んで配置されている、上記１に記載の衣装ハンガー。
【００１７】
６．衣装ハンガーが前記ヘッドによって空中に吊り下げられることにより定義される方向を基準として、前記ポールは、重力方向に平行に延びた柱状の形状を有する、上記１に記載の衣装ハンガー。
【００１８】
７．前記ポールは、前記連結部の他端と連結される前記ポールの前記一端から遠くなるに従って、前記メインボディとの距離が近くなる形状を有する、上記１に記載の衣装ハンガー。
【００１９】
８．衣装ハンガーが前記ヘッドによって空中に吊り下げられることにより定義される方向を基準として、前記連結部の上部表面の少なくとも一部が重力方向に垂直な方向に延びている、上記１に記載の衣装ハンガー。
【００２０】
９．衣装ハンガーが前記ヘッドによって空中に吊り下げられることにより定義される方向を基準として、前記メインボディは、横方向に所定の幅を有する形状を有する、上記１に記載の衣装ハンガー。
【００２１】
１０．前記メインボディは、前記連結部と連結された側から遠くなるに従って、横幅が次第に増加する形状を有する、上記１に記載の衣装ハンガー。
【００２２】
１１．衣装ハンガーが前記ヘッドによって空中に吊り下げられることにより定義される方向を基準として、前記メインボディの上側又は前記ポールの上側に配置され、衣装のボディスに付けられた肩紐を掛けることができるハンドをさらに含む、上記１に記載の衣装ハンガー。
【００２３】
１２．衣装ハンガーが前記ヘッドによって空中に吊り下げられることにより定義される方向を基準として、前記メインボディの上側又は前記ポールの上側に連結され、衣装の肩紐を掛けることができるハンドをさらに含み、
前記ハンドは、前記メインボディ又は前記ポールに予め設けられたガイド手段に沿って位置変更が可能である、上記１に記載の衣装ハンガー。
【００２４】
１３．衣装ハンガーが前記ヘッドによって空中に吊り下げられることにより定義される方向を基準として、前記ポールの上側に連結され、衣装のボディスに付けられた肩紐を掛けることができるハンドをさらに含み、
前記ハンドは、前記ポールに沿って上下方向にスライド可能に含まれている、上記１に記載の衣装ハンガー。
【００２５】
１４．前記ヘッドは、フック状又はリング状の形状を有する、上記１に記載の衣装ハンガー。
【００２６】
１５．上記１から１４の何れか１つに記載の衣装ハンガーは、所定の形状を維持するように形成されたスカートを含む衣装を掛ける用途に用いられる、衣装ハンガー。
【００２７】
１６．ヘッドと、
前記ヘッドの一端から延びたメインボディと、
前記メインボディと所定の距離で離間して互いに向かい合うように配置されるポールと、
前記メインボディと前記ポールとを連結する連結部と、を含む衣装ハンガーであって、
衣装ハンガーが前記ヘッドによって空中に吊り下げられることにより定義される方向を基準として、前記メインボディ及び前記ポールは、前記連結部から上側方向に延びて形成されており、
前記メインボディの下側が衣装のボディスに挿入可能であり、前記メインボディは、衣装のボディスの内側の少なくとも一部を支持するか、衣装のスカートの少なくとも一部を支持することができ、
前記連結部及び前記ポールは、衣装に形成されている孔を貫通可能であり、
前記ポールは、衣装のスカートの少なくとも一部を支持するか、衣装のボディスの内側の少なくとも一部を支持することができる、衣装ハンガー。
【発明の効果】
【００２８】
本発明に係る衣装ハンガーは、衣装保管時の空間活用効率を最大化することができるとともに、衣装保管時に衣装の形態を保持し、衣装の損傷を低減することができる。
【００２９】
本発明の一実施形態に係る衣装ハンガーは、前記メインボディと前記ポールとの間に配置される衣装の所定の部分の一側を支持することができ、前記ポールは、衣装の前記所定の部分の他側を支持することができるため、掛けられる衣装が、地面に水平な方向に傾かないように衣装を支持することができ、衣装保管時の空間活用効率及び保存性を最大化することができる。
【００３０】
本発明の一実施形態に係る衣装ハンガーは、側面の形状が、前記メインボディ、前記連結部、及び前記ポールにより囲まれて上側に開口された形状を有するため、掛けられる衣装が、地面に水平な方向に傾かないように衣装を支持することができ、衣装保管時の空間活用効率及び保存性を最大化することができる。
【００３１】
本発明の一実施形態に係る衣装ハンガーは、メインボディ及びポールの少なくとも一部が互いに平行になっているため、掛けられる衣装が地面に水平な方向に傾かないように衣装を支持することができ、衣装保管時の空間活用効率及び保存性を最大化することができる。
【００３２】
本発明の一実施形態に係る衣装ハンガーは、前記ポールが２本のポールであり、前記２本のポールが互いに所定の距離を置いて並んで配置されることで、衣装をより安定して掛けて保管することができる。
【００３３】
本発明の一実施形態に係る衣装ハンガーは、前記ポールが重力方向に平行に延びた柱状の形状を有することで、衣装保管時の空間活用効率及び保存性をより最大化することができる。
【００３４】
本発明の一実施形態に係る衣装ハンガーは、前記ポールが、前記連結部の他端と連結される前記ポールの前記一端から遠くなるに従って、前記メインボディとの距離が近くなる形状を有することで、衣装をより効果的に支持することができる。
【００３５】
本発明の一実施形態に係る衣装ハンガーは、前記連結部の上部表面の少なくとも一部が重力方向に垂直な方向に延びることで、衣装のパンティー及びそれに隣接した部分への横方向の圧迫を解消することができるため、衣装の保存性をより向上させることができる。
【００３６】
本発明の一実施形態に係る衣装ハンガーは、前記メインボディが、横方向に所定の幅を有する形状を有することで、衣装のボディスがよく広げられた状態で保管可能である。
【００３７】
本発明の一実施形態に係る衣装ハンガーは、前記メインボディが、前記連結部と連結された側から遠くなるに従って、横幅が次第に増加する形状を有することで、衣装のボディスがよく広げられた状態で保管可能である。
【００３８】
本発明の一実施形態に係る衣装ハンガーは、前記メインボディの上側又は前記ポールの上側に配置され、衣装のボディスに付けられた肩紐を掛けることができるハンドをさらに含むことで、衣装のボディスが滑り落ちないように保管することができる。
【００３９】
本発明の一実施形態に係る衣装ハンガーは、種々のサイズの衣装に含まれている肩紐を掛けることができる。
【図面の簡単な説明】
【００４０】
【図１】従来の衣装の保管方法を例示した写真である。
【図２】従来の衣装の保管方法を例示した写真である。
【図３】従来の衣装の保管方法を例示した写真である。
【図４】従来の衣装の保管方法を例示した写真である。
【図５】所定の形状を維持するように形成されたスカートを含む衣装を概略的に示した図である。
【図６】本発明の一実施形態に係る衣装ハンガーを概略的に示した斜視図である。
【図７】本発明の一実施形態に係る衣装ハンガーを概略的に示した斜視図である。
【図８】本発明の一実施形態に係る衣装ハンガーを概略的に示した側面図である。
【図９】本発明の一実施形態に係る衣装ハンガーを概略的に示した斜視図である。
【図１０】本発明の一実施形態に係る衣装ハンガーを概略的に示した斜視図である。
【図１１】本発明の一実施形態に係る衣装ハンガーを概略的に示した斜視図である。
【図１２】実際に製造された試作品である、本発明の一実施形態に係る衣装ハンガーを利用してバレエチュチュが掛けられて保管される状態を示した写真である。
【図１３】実際に製造された試作品である、本発明の一実施形態に係る衣装ハンガーを利用してバレエチュチュが掛けられて保管される状態を示した写真である。
【図１４】実際に製造された試作品である、本発明の一実施形態に係る衣装ハンガーを利用してバレエチュチュが掛けられて保管される状態を示した写真である。
【図１５】本発明の一実施形態に係る衣装ハンガーを用いた例（図１５の左側)と、従来の衣装ハンガーを用いた例（図１５の右側)を比較した写真である。
【発明を実施するための形態】
【００４１】
本発明の実施形態は、ヘッドと、一端が前記ヘッドの一端に連結されたメインボディと、一端が前記メインボディの他端に連結され、前記メインボディとポールを連結する連結部と、一端が前記連結部の他端と連結され、衣装に形成されている孔を貫通可能なポールと、を含む衣装ハンガーであって、
前記メインボディ及び前記ポールは、所定の距離で離間して互いに向かい合うように配置されており、
衣装ハンガーが前記ヘッドによって空中に吊り下げられることにより定義される方向を基準として、前記メインボディ及び前記ポールは、前記連結部から上側方向に延びて形成されたものであって、これにより、衣装保管時の空間活用効率を最大化することができるとともに、衣装保管時に衣装の形態を保持し、衣装の損傷を低減することができる衣装ハンガーに関する。
【００４２】
以下、図面を参照して、本発明の具体的な実施形態を説明する。しかし、これは例示に過ぎず、本発明はこれに制限されない。
【００４３】
示された図面の各構成、部材のサイズ、面積などは、説明の便宜のために誇張、変形されることがあり、本発明の範囲はこれに制限されるものではない。
【００４４】
本発明の技術的思想は請求範囲により決定され、以下の実施形態は、本発明の技術的思想を本発明が属する技術分野において通常の知識を有する者に効率的に説明するための一つの手段にすぎない。
【００４５】
本明細書において、方向を指称する用語は、別に説明しない限り、原則的に、衣装ハンガーが前記ヘッド１０によって空中に吊り下げられることにより定義される方向を基準とする。例えば、上側と下側は、それぞれ重力方向に平行な方向に位置が変わる時に空に近い側が上側、地面に近い側が下側と称される。一方、側面は、重力方向に垂直な方向に衣装ハンガーを見た時に見える面を称する。
【００４６】
本明細書において、用語により指称される方向又は位置関係は、幾何学的にそのような方向又は位置関係、実質的にそのような方向又は位置関係、及び正確にそのような方向又は位置関係ではなくても、通常認められる範囲のそのよう方向又は位置関係を全て含む。
【００４７】
具体的には、本明細書において、上側、下側、平行、水平、垂直などの方向又は位置関係、重力方向などは、幾何学的に上側、下側、平行、水平、垂直などの方向又は位置関係、重力方向であることはいうまでもなく、実質的に上側、下側、平行、水平、垂直などの方向又は位置関係、重力方向であること、及び正確に上側、下側、平行、水平、垂直などの方向又は位置関係、重力方向ではなくても、通常認められる範囲の上側、下側、平行、水平、垂直などの方向又は位置関係、重力方向を全て含む。
【００４８】
図１に例示するように、従来の衣装ハンガーに衣装を掛けて保管する場合、所定の形状を維持するように形成されたスカート１を含む衣装は多くの空間を占めることになる。具体的には、重力の作用によりスカート１がバランスを取りながら、予め設計された衣装の本来の構造により、自然に多くの空間を占めることになる。したがって、従来の衣装ハンガーに衣装を掛けて保管する場合、衣装の接触、損傷、変形などを防止するために、他の衣装から互いに離間するように、十分な間隔を置いて掛けて保管しなければならない。
【００４９】
一方、図２を参照すると、所定の形状を維持するように形成されたスカート１を含む衣装は、底に置いた時に「平らに密着した形状」（以下、「保管形状」という）を有し得る。かかる「保管形状」は、個別の衣装毎に定義される仮想の円板類似形状と定義され得る。図２にはチュチュのみを例示しているが、これに制限されず、複数の部材で連結されて構成されたフレームを含むペチコート（ｐｅｔｔｉｃｏａｔ）などのような衣装も「保管形状」を有することができ、本発明の実施形態が適用可能である。
【００５０】
本発明の実施形態は、「保管形状」状態の衣装を空中に縦方向に安定して吊り下げて保管できるようにすることで、衣装保管時に、同じ空間でより多くの衣装を保管することができるため、空間活用効率を最大化することができる。なお、衣装を積み上げないか、底に置かないことで、摩擦や汚染による衣装の損傷及び変形を低減することができる。
【００５１】
本発明の実施形態を具体的に説明する前に、本発明の実施形態に適用可能な衣装について説明する。本発明の実施形態は、所定の形状を維持するように形成されたスカート１を含む衣装を掛ける用途に用いることができる。
【００５２】
本発明の実施形態に適用可能な衣装は、所定の形状を維持するように形成されたスカート（ｓｋｉｒｔ）１を含む衣装であってもよい。例えば、衣装は、ペチコート（ｐｅｔｔｉｃｏａｔ）、チュチュ（ｔｕｔｕ）などであってもよく、チュチュは、クラシックチュチュ、ロマンティックチュチュ、シルエット、練習用チュチュなどであってもよいが、これらに制限されず、所定の形状を維持するように形成されたスカート１を含む衣装であれば、本発明の実施形態に適用可能である。
【００５３】
図５は、所定の形状を維持するように形成されたスカート１を含む衣装を概略的に示した図である。
【００５４】
所定の形状を維持するように形成されたスカート（ｓｋｉｒｔ）１を含む衣装は、スカート１を含み、追加部分をさらに含んでもよい。例えば、衣装は、着用者の上体を包み込むボディス（ｂｏｄｉｃｅ）２、着用者の下半身を包み込むパンティー（ｐａｎｔｙ）３、又は着用者の肩に掛かる肩紐（ｓｈｏｕｌｄｅｒ  ｓｔｒａｐ）４などをさらに含んでもよい。また、所定の形状を維持するように形成されたスカート１を含む衣装は、スカート１と、上記で例示した部分の少なくとも一部分以上とが連続的に連結されて構成されてもよい。
【００５５】
本発明の実施形態は、ポール４０、連結部３０、メインボディ２０が順に衣装に挿入されて衣装を通すことができる。例えば、ボディス２及びスカート１が直接又は間接的に連結された構造を有する衣装は、ボディス２がスカート１より先に挿入されて通されてもよく、逆に、スカート１がボディス２より先に通されて挿入されてもよい。ボディス２がスカート１より先に挿入されて衣装が通される場合、衣装のボディス２にメインボディ２０の下側が挿入され、ボディス２が縦方向に立てられるように、ボディス２がメインボディ２０により支持されることができる（後述の図１３を参照）。逆に、ボディス２がスカート１より後に通される場合には、衣装のボディス２はポール４０により支持されることができる。
【００５６】
本発明の実施形態によって衣装が通された状態で、衣装は、後述の図１２から１４に例示するように、「保管形状」の衣装が縦方向に立てられた状態である。この際、衣装が本発明の実施形態によって通された状態では、「保管形状」の衣装が縦方向に立てられたことを基準として、衣装の上側スカート１の少なくとも一部が、ポール４０、連結部３０、及びメインボディ２０の間に位置することができる（後述の図１２から１４を参照）。これにより、スカート１がポール４０又はメインボディ２０によって側面方向に支持され、スカート１が水平方向に傾かないようにすることができる。一方、前記上側スカート１の「上側」について具体的に説明すると、衣装が、地面に垂直な方向に平らになっている「保管形状」であるとき、衣装の上側スカート１及び下側スカート１は、それぞれスカート１の中央に形成された孔を通る仮想の水平な面を基準として区分することができる。
【００５７】
スカート（ｓｋｉｒｔ）１は、所定の形状を維持するように形成されたものであって、硬直性又は弾性を有する素材を含んでもよい。例えば、スカート１の硬直性又は弾性は、繊維素材自体の性質に起因してもよいが、スカート１の内部やスカート１に隣接した部分に、フレームやワイヤ５のように硬直性又は弾性を有する素材を含ませることで備えられてもよい。スカート１の前記所定の形状とは、図２又は図３に例示するように、スカート１が重力により下方に完全にぶら下がるのではなく、側面方向などにアップ（ｕｐ）されるようになっている形状、又はスカート１の内側空間を維持したまま、ボリューム感のあるように見えるようになっている形状など、衣装の美的外観のために設計された形状などであってもよい。
【００５８】
本発明の実施形態は、地面に垂直な方向に平らになっている「保管形状」の衣装を基準として、上側スカート１を支持することができる。このように、本発明の実施形態が上側スカート１を支持することで、地面に垂直な方向に平らになっている「保管形状」の衣装が、重力により水平方向に傾くことを防止することができる。これにより、衣装を縦方向に収納可能となるため、スカート１の他の物体との接触、圧迫などを除去することができ、スカート１の変形及び損傷を防止することができるとともに、多くの衣装を横方向に連続して保管することができ、保管効率を最大化することができる。
【００５９】
ボディス（ｂｏｄｉｃｅ）２は、衣装の上着部分であって、表面に装飾物を含んでもよい。本発明の実施形態は、ボディス２を支持し、衣装を縦方向に収納可能とすることで、ボディス２の他の物体との接触、圧迫などを除去することができるため、ボディス２の表面に設けられる装飾物の変形及び損傷を防止することができる。
【００６０】
パンティー（ｐａｎｔｙ）３は、下着の一部であって、衣装着用者の下半身に密着する部分であって、衣装着用者の脚が挿入される孔（ｈｏｌｅ）を含む。本発明の実施形態のポール４０及び連結部３０は、前記孔を貫通することができる。必要に応じて、パンティー３の孔は、衣装着用者の腰が挿入されるように形成されてもよく、伸縮性のある素材で孔が形成される場合、素材の収縮及び膨張により孔のサイズが可変する。
【００６１】
肩紐（ｓｈｏｕｌｄｅｒ  ｓｔｒａｐ）４は、ボディス２の上端に連結され、着用者の肩に掛かるように設けられた部分である。肩紐４の数は、衣装のデザインによって公知の肩紐４の数であればよく、特に制限されないが、例えば、０本、１本、又は２本などであってもよい。本発明の一実施形態に係る衣装ハンガーは、肩紐４を掛けることができるハンド５０をさらに含むことで、ボディス２がよりよく広げられた状態で保管されるようにすることができる。
【００６２】
図６及び図７、並びに図９から図１１は、それぞれ本発明の一実施形態に係る衣装ハンガーを概略的に示した斜視図である。
【００６３】
図８は、本発明の一実施形態に係る衣装ハンガーを概略的に示した側面図である。
【００６４】
本発明の衣装ハンガーの材質は特に制限されないが、例えば、合成樹脂、金属、セラミック、木材、紙、又は天然樹脂などを含む材質であってもよい。
【００６５】
本発明の実施形態は、衣装ハンガーが空中に吊り下げられるようにするヘッド１０を含む。
【００６６】
図６に例示するように、ヘッド１０は、衣装ハンガーの上側に配置され、衣装ハンガーを掛けることができるように設けられた突出した掛止部や棒のような所に掛けられて吊り下げられることができる。
【００６７】
ヘッド１０の形状は、突出した掛止部や棒のような所に掛けられて吊り下げられることができる形状であれば特に制限されずに使用可能であるが、例えば、少なくとも一側が開口されたフック状の形状を有してもよく、開口部を含まないリング状の形状を有してもよい。
【００６８】
本発明の実施形態は、一端が前記ヘッド１０の一端に連結されたメインボディ２０を含む。
【００６９】
メインボディ２０は、衣装ハンガーが前記ヘッド１０によって空中に吊り下げられることにより定義される方向を基準として、上側はヘッド１０と連結され、下側は連結部３０と連結されることができる。メインボディ２０の形状は特に制限されないが、例えば、下側形状は、衣装のボディス２に挿入可能な形状を有し、上側は、ヘッド１０が連結された端部を基準として左右に傾斜した形状を有してもよい。また、メインボディ２０は、図７に例示するように中空部を含んでもよい。
【００７０】
本発明の一実施形態に係るメインボディ２０は、衣装ハンガーが前記ヘッド１０によって空中に吊り下げられることにより定義される方向を基準として、前記メインボディ２０は、水平方向に所定の周りを有する形状を有することができる。メインボディ２０が水平方向に所定の周りを有する形状を有することで、保管時にボディス２に横方向のしわが寄らないようにすることができ、ボディス２に付けられた装飾物の保存性も向上させることができる。例えば、ボディス２に挿入されるメインボディ２０の下側の所定の周りは、６インチ〜５０インチであってもよい。前記所定の周りは、通されるボディス２の周りのサイズを想定して例示した数値であり、前記所定の周りを測定する基準は、メインボディ２０の下側からボディス２を密着して被せた状態で測定されるボディス２の内径の周りであり得る。すなわち、メインボディ２０が中空部を含んでいても、前記所定の周りのサイズに影響を与えることがなく、図７に例示した中空部が形成されたメインボディ２０の下側の周りのサイズは、図６に例示するようにメインボディ２０に中空部を形成していない場合のメインボディ２０の下側の周りのサイズと同一である。
【００７１】
図６及び図７に例示するように、本発明の一実施形態に係るメインボディ２０は、連結部３０と連結された側から遠くなるに従って、横幅が次第に増加する形状を有してもよい。通常のボディス２は、ボディス２の腰部から胸部に向かってその内径が増加し得るが、メインボディ２０の下側から中間部までが、ボディス２の腰部から胸部までに対応する。したがって、メインボディ２０は、前記連結部３０と連結された側から遠くなるに従って横幅が次第に増加する形状を有することで、ボディス２にメインボディ２０がさらに密着されてボディス２を支持することができる。これにより、ボディス２のしわを防止することができ、安定した固定を介して、ボディス２に付けられた装飾物の保存性も向上させることができる。
【００７２】
本発明の実施形態は、一端が前記連結部３０の他端と連結され、衣装に形成されている孔を貫通可能なポール４０を含む。上述のように、孔は、例えば、衣装着用者の脚又は腰が挿入可能であり、好ましくは脚が挿入されるように設けられた部分であってもよい。
【００７３】
ポール４０を含むことで、衣装に形成されている孔にポール４０が挿入可能であり、「保管形状」の衣装が縦方向に立てられた状態を基準として、挿入されたポール４０は、ポール４０の少なくとも一部が衣装の上側スカート１の少なくとも一部を支持することができる。ポール４０の少なくとも一部が衣装の上側スカート１の少なくとも一部を支持することで、スカート１がポール４０又はメインボディ２０により側面方向に支持され、スカート１が水平方向に傾かないようにすることができる。
【００７４】
本発明の一実施形態に係るポール４０の数は特に制限されないが、例えば、１本又は２本であってもよく、好ましくは２本であってもよい。
【００７５】
本発明の一実施形態に係るポール４０の数が２本である場合は、２本のポール４０が、脚が挿入されるように設けられた衣装に形成されている２つの孔にそれぞれ挿入され、衣装をより安定して固定、保管することができ、本発明が目的とする効果の点から優れる。
【００７６】
また、本発明の一実施形態に係る２本のポール４０は、互いに所定の距離を置いて並んで配置されてもよく、この場合、衣装に形成された孔にポール４０を挿入し、挿入後に衣装を支持する機能をより容易に果たすことができる。
【００７７】
本発明の一実施形態に係るポール４０の形状は、衣装に形成されている孔にポール４０が挿入可能であり、且つ挿入されたポール４０の少なくとも一部が衣装の上側スカート１の少なくとも一部を支持可能な形状であれば特に制限されずに用いられることができる。図６から図１１に例示するように、角張った形状の有無には特に制限がなく、例えば、前記ヘッド１０によって空中に吊り下げられることにより定義される方向を基準として、ポール４０は、重力方向に平行に延びた柱状の形状を有してもよい。また、衣装に形成されている孔にポール４０が挿入可能であり、且つ挿入されたポール４０の少なくとも一部が衣装の上側スカート１の少なくとも一部を支持可能な形状であればよいため、ポール４０の形状は、曲がった形状、角張った形状などを含む種々形状に変形され得る。また、ポール４０は、図７に例示するように中空部を含んでもよい。
【００７８】
必要に応じて、本発明の一実施形態に係るポール４０は、延性を有する素材で形成されてもよく、ポール４０の末端が、メインボディ又はヘッド１０や外部掛止部に掛止されるように形成されてもよい。
【００７９】
本発明の一実施形態に係るポール４０は、前記連結部３０の他端と連結される前記ポール４０の前記一端から遠くなるに従って、前記メインボディ２０との距離が近くなる形状を少なくとも一部に有してもよい。図８は、本発明の一実施形態に係る衣装ハンガーを概略的に示した側面図であり、例えば、本発明の一実施形態に係るポール４０は、図８のような形状を有してもよい。
【００８０】
通常、衣装が「保管形状」であるとき、その中心から外郭に向かって厚さが薄くなる傾向がある。したがって、本実施形態が、かかる「保管形状」の厚さ変化に対応するように、前記連結部３０の他端と連結される前記ポール４０の前記一端から遠くなるに従って、前記メインボディ２０との距離が近くなる形状を有することで、スカート１の上側に対する支持がより向上する。
【００８１】
本発明の一実施形態に係るポール４０の長さは、衣装に形成されている孔にポール４０が挿入可能であり、且つ挿入されたポール４０の少なくとも一部が衣装の上側スカート１の少なくとも一部を支持可能な程度であれば特に制限されないが、例えば、通常のスカート１の上側長さに相応する範囲であればよく、具体的には、１ｃｍ〜１００ｃｍであってもよく、好ましくは５ｃｍ〜１００ｃｍであってもよい。
【００８２】
本発明の実施形態は、一端が前記メインボディ２０の他端に連結され、前記メインボディ２０とポール４０とを連結する連結部３０を含む。連結部３０は、衣装の荷重を支持することができる。
【００８３】
本発明の一実施形態に係る連結部３０は、衣装ハンガーが前記ヘッド１０によって空中に吊り下げられることにより定義される方向を基準として、前記連結部３０の上部表面の少なくとも一部が重力方向に垂直な方向に延びることができる。
【００８４】
すなわち、連結部３０が水平方向に延びる部分を含む場合、衣装のパンティー３側の部分の損傷を低減することができる。通常、衣装が「保管形状」であるとき、中央側の厚さが最も厚い。したがって、衣装が掛けられる際にパンティー３側の部分を支持することになる連結部３０が、パンティー３が受ける圧迫を最小化するようにスペーサーの役割を果たすことができれば、パンティー３側の部分の損傷を低減することができる。本発明の一実施形態に係る連結部３０の上部表面は、衣装のパンティー３側の部分が接することができ、本実施形態に係る連結部３０の上部表面は、所定の長さで水平方向に延びることができる。上述の効果を得る点から、連結部３０の水平に延びた上部表面は、例えば、１〜１００ｃｍであってもよい。
【００８５】
必要に応じて、本発明の一実施形態に係る連結部３０はヒンジを含んでもよい。ヒンジを含むことで、ポール４０を折り畳んだり、逆に開くことができ、衣装を衣装ハンガーに容易に導入することができる。この際、本実施形態に係る連結部３０は、ヒンジの動きを固定する構成をさらに含んでもよい。
【００８６】
本発明の実施形態は、前記メインボディ２０及び前記ポール４０が、所定の距離で離間して互いに向かい合うように配置される。
【００８７】
衣装が本発明の実施形態によって通された状態では、地面に垂直な方向に平らになっている「保管形状」を基準として、衣装の上側スカート１の少なくとも一部が、ポール４０、連結部３０、及びメインボディ２０の間に位置することができる。これにより、スカート１がポール４０又はメインボディ２０によって側面方向に支持され、スカート１が水平方向に傾かないようにすることができる。
【００８８】
離間する前記所定の距離は「保管形状」の厚さ範囲で設定可能であるが、所定の距離が狭すぎると、衣装を衣装ハンガーに通すことができず、距離が遠すぎると、衣装の「保管形状」が縦方向に維持されにくい。例えば、前記所定の距離は１〜３０ｃｍであってもよい。
【００８９】
図８に例示するように、本発明の実施形態は、衣装ハンガーが前記ヘッド１０によって空中に吊り下げられることにより定義される方向を基準として、前記メインボディ２０及び前記ポール４０は前記連結部３０から上側方向に延びて形成されている。
【００９０】
図８を参照すると、本発明の一実施形態に係る衣装ハンガーの使用時に、衣装が衣装ハンガーの上側ポール４０の末端に導入されて本発明の実施形態によって通された状態で、衣装の上側スカート１の少なくとも一部が、ポール４０、連結部３０、及びメインボディ２０の間に位置することができる。これにより、スカート１がポール４０又はメインボディ２０によって側面方向に支持され、スカート１が水平方向に傾かないようにすることができ、衣装が衣装ハンガーから離脱しないように拘束することができる。本発明の一実施形態に係る衣装ハンガーは、メインボディ２０と前記ポール４０との間に前記衣装の少なくとも一部が位置することができるスペース６０を含むことができる。
【００９１】
本発明の一実施形態に係る前記メインボディ２０は、前記メインボディ２０と前記ポール４０との間に配置される衣装の所定の部分の一側を支持することができ、前記ポール４０は衣装の前記所定の部分の他側を支持することができる。
【００９２】
本発明の一実施形態に係る衣装ハンガーは、衣装ハンガーのある側面から見たときに、上側に開口された形状を有することができる。上側に開口された形状は、開口された側から衣装を衣装ハンガーに導入させることができる形状であればよく、特に制限されないが、例えば、側面の形状が、前記メインボディ２０、前記連結部３０、及び前記ポール４０により囲まれて上側に開口された「コ」形状、「ｃ」形状、又はこれと類似の、上側に開口された形状を有してもよく、具体的には、図８に例示するように上側に開口された形状を有してもよい。
【００９３】
図７、図９、図１０、及び図１１を参照して以下に説明する。
【００９４】
本発明の一実施形態に係る衣装ハンガーは、衣装ハンガーが前記ヘッド１０によって空中に吊り下げられることにより定義される方向を基準として、前記メインボディ２０の上側又は前記ポール４０の上側に配置され、衣装のボディス２に付けられた肩紐４を掛けることができるハンド５０をさらに含んでもよい。衣装ハンガーは、前記メインボディ２０の上側又は前記ポール４０の上側に配置され、衣装のボディス２に付けられた肩紐４を掛けることができるハンド５０をさらに含むことで、衣装のボディス２が滑り落ちないように保管することができる。
【００９５】
本発明の一実施形態に係るハンド５０の形状は、通常の肩紐４を掛けることができる形状であれば、公知のハンド５０の形状が特に制限されずに用いられることができるが、例えば、図７、図１０、図１１に例示した形状、溝の内側に肩紐４が掛かるように設けられた凹溝などであってもよい。
【００９６】
必要に応じて、本発明の一実施形態に係るハンド５０は、前記メインボディ２０又は前記ポール４０に予め設けられたガイド手段に沿って位置が変更可能である。これにより、様々なサイズの衣装に含まれている肩紐４を掛けることができる。本実施形態に係るガイド手段は、予め設けられた溝から離脱されないように溝に対応する形状を有するハンド５０であってもよく、又は、ハンド５０の着脱が可能な構造を有してもよい。
【００９７】
必要に応じて、本発明の一実施形態に係るハンド５０は、前記ヘッド１０によって空中に吊り下げられることにより定義される方向を基準として、前記ポール４０の上側に連結されて含まれることができる。
【００９８】
衣装ハンガーにスカート１がボディス２より先に通されて挿入される場合、ポール４０の上側に連結されたハンド５０に衣装の肩紐４を掛けることができる。
【００９９】
必要に応じて、本発明の一実施形態に係るハンド５０は、前記ポール４０に沿って上下方向にスライド可能に含まれてもよく、これにより、衣装のサイズに応じて適切に掛けることができる。
【０１００】
本発明の一実施形態に係る衣装ハンガーは、ヘッド１０と、前記ヘッド１０の一端から延びたメインボディ２０と、前記メインボディ２０と所定の距離で離間して互いに向かい合うように配置されるポール４０と、前記メインボディ２０と前記ポール４０とを連結する連結部３０と、を含み、衣装ハンガーが前記ヘッド１０によって空中に吊り下げられることにより定義される方向を基準として、前記メインボディ２０及び前記ポール４０は、前記連結部３０から上側方向に延びて形成されており、前記メインボディ２０の下側が衣装のボディス２に挿入され、前記メインボディ２０は、衣装のボディス２の内側の少なくとも一部を支持するか、衣装のスカート１の少なくとも一部を支持することができ、前記連結部３０及び前記ポール４０は、衣装に形成されている孔を貫通可能であり、前記ポール４０は、衣装のスカート１の少なくとも一部を支持するか、衣装のボディス２の内側の少なくとも一部を支持することができる。
【０１０１】
実施例
ヘッド１０、メインボディ２０、連結部３０、ポール４０、及びハンド５０を含む衣装ハンガーを合成繊維で製作し、これにバレエチュチュを掛けた。図１２から図１４は、実際に製造された試作品である、本発明の一実施形態に係る衣装ハンガーを利用してバレエチュチュが掛けられて保管される状態を示した写真である。
【０１０２】
「保管形状」のバレエチュチュ衣装が、空中に縦方向に安定して吊り下げられて保管されることを確認することができた。具体的には、衣装のボディス２にメインボディ２０の下側が挿入され、ボディス２が縦方向に立てられるように、ボディス２がメインボディ２０により支持されることを確認することができ、衣装の上側スカート１の少なくとも一部が、ポール４０、連結部３０、及びメインボディ２０の間に位置することを確認することができた。
【０１０３】
図１５は、本発明の一実施形態に係る衣装ハンガーを用いた例（図１５の左側）と、従来の衣装ハンガーを用いた例（図１５の右側）を比較した写真である。
【０１０４】
したがって、本実施形態は、衣装保管時の空間活用効率を最大化することができるとともに、衣装保管時に衣装の形態を保持し、衣装の損傷を低減することができることを確認することができる。
【符号の説明】
【０１０５】
１      スカート
２      ボディス
３      パンティー
４      肩紐
５      フレーム、ワイヤ
１０    ヘッド
２０    メインボディ
３０    連結部
４０    ポール
５０    ハンド
６０    スペース
【図１】
2021512761.tif 000003
【図２】
2021512761.tif 000004
【図３】
2021512761.tif 000005
【図４】
2021512761.tif 000006
【図５】
2021512761.tif 000007
【図６】
2021512761.tif 000008
【図７】
2021512761.tif 000009
【図８】
2021512761.tif 000010
【図９】
2021512761.tif 000011
【図１０】
2021512761.tif 000012
【図１１】
2021512761.tif 000013
【図１２】
2021512761.tif 000014
【図１３】
2021512761.tif 000015
【図１４】
2021512761.tif 000016
【図１５】
2021512761.tif 000017
【国際調査報告】
2021512761.tif 000018
2021512761.tif 000019
2021512761.tif 000020
2021512761.tif 000021
2021512761.tif 000022
2021512761.tif 000023